【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
還元反応チャンバー、および
還元反応チャンバーに実質的に直交するように配置される酸化反応チャンバー
を有して成るガス化リアクターであって、
還元反応チャンバーが、供給原料入口、ガス出口、供給原料入口からガス出口に至るまで延在するボディー、およびボディーの側部に配置されるガス入口を有して成り、
酸化反応チャンバーが、ガス入口およびガス出口を有して成り、また
酸化反応チャンバーのガス出口が還元反応チャンバーのガス入口と流体連通状態にある、ガス化リアクター。
【請求項２】
還元反応チャンバーでは少なくとも１２００℃の温度で還元が生じる、請求項１に記載のガス化リアクター。
【請求項３】
還元反応チャンバーのガス入口およびガス出口は、ガス入口がガス出口の下方に配置されるように実質的に垂直方向に設けられており、また
酸化反応チャンバーのガス入口およびガス出口は実質的に水平方向に設けられている
請求項１に記載のガス化リアクター。
【請求項４】
還元反応チャンバーは、１２００℃よりも高い温度にて物理的および化学的に安定な材料から成る内側ライニングを有して成る、請求項１に記載のガス化リアクター。
【請求項５】
内側ライニング材料はセラミック材料である、請求項４に記載のガス化リアクター。
【請求項６】
還元反応チャンバーは、外側金属ケーシングを有して成る、請求項１に記載のガス化リアクター。
【請求項７】
還元反応チャンバーは、内側ライニング材料、および外側金属ケーシングと内側ライニング材料との間に配置される内側絶縁層を更に有して成る、請求項６に記載のガス化リアクター。
【請求項８】
内側ライニングは、キャスタブルとロックウールとから成る複合材料から成る、請求項４に記載のガス化リアクター。
【請求項９】
酸化反応チャンバーは、合成ガスバーナーである、請求項１に記載のガス化リアクター。
【請求項１０】
酸化反応チャンバーは、ブラウンガス・バーナーである、請求項１に記載のガス化リアクター。
【請求項１１】
供給原料入口は、固体供給原料の入口を有して成る、請求項２に記載のガス化リアクター。
【請求項１２】
供給原料入口は、液体供給原料の入口を有して成る、請求項２に記載のガス化リアクター。
【請求項１３】
固体供給原料の導入が制御されるように、還元反応チャンバーの供給原料入口に隣接して配置されるスクリュー・フィーダーを更に有して成る、請求項１１に記載のガス化リアクター。
【請求項１４】
酸化反応チャンバーのガス入口は、合成ガスを受ける第１ガス入口、および酸素ガスを受ける一対の第２ガス入口を有して成る、請求項３に記載のガス化リアクター。
【請求項１５】
一対の第２ガス入口が、第１ガス入口の両側に配置されており、また
酸素ガスと合成ガスとがチャンバー内に入った後で反応するように、一対の第２ガス入口が第１ガス入口に対して角度を成して設けられている、請求項１３に記載のガス化リアクター。
【請求項１６】
還元反応チャンバーに酸素が入り込まないように、酸化反応チャンバーに入れられた酸素が十分に消費される、請求項１４に記載のガス化リアクター。
【請求項１７】
合成ガスと酸素ガスとが、酸化反応チャンバー内でＣＯ２およびＨ２Ｏガスに転化される、請求項１４に記載のガス化リアクター。
【請求項１８】
ＣＯ２と水蒸気が２０００℃よりも高い温度にある、請求項１７に記載のガス化リアクター。
【請求項１９】
合成ガスが還元反応チャンバーのガス出口から排出される、請求項１に記載のガス化リアクター。
【請求項２０】
排出された合成ガスが１００℃以下にまで冷却されて、貯留タンクに貯留される、請求項１９に記載のガス化リアクター。
【請求項２１】
排出された合成ガスが熱交換機を通ることによって冷却される、請求項２０に記載のガス化リアクター。
【請求項２２】
排出された合成ガスの一部が酸化反応チャンバーへとリサイクルされる、請求項１９に記載のガス化リアクター。
【請求項２３】
炭質物を改質する方法であって、
還元反応チャンバーおよび酸化反応チャンバーを有して成るガス化リアクターを供すること、
酸素ガスと合成ガスとを酸化反応チャンバー内に導入すること、
還元反応チャンバーで１２００℃よりも高い温度が維持されるのに十分な熱エネルギーが供されるように、酸化反応チャンバー内で酸素ガスおよび合成ガスを水蒸気およびＣＯ２ガスに転化すること、
水蒸気およびＣＯ２ガスを還元反応チャンバー内に供給すること、
炭質物を含んで成る供給原料を還元反応チャンバー内に導入すること、また
１２００℃よりも高い温度にて炭質物を合成ガスに転化すること
を含んで成る方法。
【請求項２４】
酸素ガスの実質的に全てを酸化反応チャンバー内で十分に消費する、請求項２３に記載の方法。
【請求項２５】
炭質物が固体形状を有している、請求項２３に記載の方法。
【請求項２６】
触媒の不存在下で炭質物を転化する、請求項２３に記載の方法。
【請求項２７】
水蒸気およびＣＯ２ガスを２０００℃よりも高い温度で還元反応チャンバー内に供給する、請求項２３に記載の方法。
【請求項２８】
生じた合成ガスの少なくとも一部を酸化反応チャンバー内へとリサイクルする、請求項２３に記載の方法。
【請求項２９】
炭質物を改質する方法であって、
還元反応チャンバーおよび酸化反応チャンバーを有して成るガス化リアクターを供すること、
酸素と水素とから成るブラウンガスを酸化反応チャンバー内に導入すること、
酸化反応チャンバー内で酸素および水素ガスを水蒸気に転化すること、
還元反応チャンバーで１２００℃よりも高い温度が維持されるのに十分な熱が供されるように、水蒸気を還元反応チャンバー内に供給すること、
炭質物を含んで成る供給原料を還元反応チャンバー内に導入すること、また
１２００℃よりも高い温度にて炭質物をＨ２およびＣＯガスへと転化すること
を含んで成る方法。
【請求項３０】
酸素の実質的に全てを酸化反応チャンバー内で十分に消費する、請求項２９に記載の方法。
【請求項３１】
触媒の不存在下で炭質物を転化する、請求項２９に記載の方法。
【請求項３２】
燃料電池；および
燃料電池と連通状態にあるリフォーマー
を有して成り、
リフォーマー・ボディーが、合成ガスを発生させて、それを燃料電池に供給するように構成されており、また
燃料電池で生じる水蒸気およびＣＯ２の少なくとも一部が、更なる合成ガスの発生のためにリフォーマーに供給される、燃料電池を駆動させるためのシステム。
【請求項３３】
リフォーマーを加熱する加熱機構を更に有して成り、
燃料電池で生じる電力の少なくとも一部によって加熱機構にエネルギーが供給される、請求項３２に記載のシステム。
【請求項３４】
リフォーマーが、
化石燃料を受ける第１入口、
水蒸気およびＣＯ２を受ける第２入口、および
合成ガスを排出する出口
を有して成る、請求項３２に記載のシステム。
【請求項３５】
化石燃料が、液体化石燃料を含んで成る、請求項３２に記載のシステム。
【請求項３６】
化石燃料が、ガス状化石燃料を含んで成る、請求項３２に記載のシステム。
【請求項３７】
リフォーマー・ボディーのサイズは、約３リットル以下である、請求項３２に記載のシステム。
【請求項３８】
燃料電池を駆動させる方法であって、
燃料電池と連通状態にあるリフォーマー装置内で化石燃料を合成ガスに改質すること；
Ｏ２ガスを燃料電池に供給すること；
燃料電池から水蒸気およびＣＯ２をリフォーマーに移送すること；また
燃料電池で生じる電力の少なくとも一部を用いてリフォーマーを加熱すること
を含んで成る方法。
【請求項３９】
化石燃料が、液体化石燃料を含んで成る、請求項３８に記載の方法。
【請求項４０】
化石燃料が、ガス状化石燃料を含んで成る、請求項３８に記載の方法。
【請求項４１】
酸化反応チャンバーが還元反応チャンバーに実質的に直交するように配置されている、請求項２３に記載の方法。
【請求項４２】
酸化反応チャンバーが還元反応チャンバーに実質的に直交するように配置されている、請求項２９に記載の方法。
【請求項４３】
生じたＨ２ガスの少なくとも一部を酸化反応チャンバーへとリサイクルする、請求項２９に記載の方法。
【手続補正２】
【補正対象書類名】明細書
【補正対象項目名】００３７
【補正方法】変更
【補正の内容】
【００３７】
ある要旨において、還元反応チャンバーに酸素が入り込まないように、酸化チャンバーに入れられた酸素が十分に消費される。
【手続補正３】
【補正対象書類名】明細書
【補正対象項目名】００５１
【補正方法】変更
【補正の内容】
【００５１】
図２の態様では、酸化反応チャンバー（合成ガスバーナー）が、還元反応チャンバーに実質的に直交するように配置されている。酸化反応チャンバーは、ガス入口１７を含んでいる。酸化反応によって生じるガスは、還元反応チャンバー内に導入される。この態様では、酸化反応チャンバーと還元反応チャンバーとが、かなり良好に分けられており、それゆえ、酸化反応チャンバーに入れられた酸素が十分に消費され、還元反応チャンバー内へと酸素ガスが進入することが防止されている。